(57)【要約】【課題】異物の付着による塗装不良を解消することで高品質な塗装を実現可能な車両ボディの塗装方法を提供すること。【解決手段】本発明の車両ボディＢの塗装方法では、脱脂及び化成処理、電着塗装、中塗り塗装、上塗り塗装をこの順序で実施する。そして、脱脂及び化成処理の実施後かつ電着塗装の実施前の段階で、研ぎ工程を実施する。研ぎ工程では、車両ボディＢの上面ＢＵに研ぎ網４１を摺接させて研ぎを行いつつ、上面ＢＵに洗浄用流体を作用させて洗浄する。この場合、研ぎ網４１と、研ぎ網４１を往復動させて研ぎ動作を行わせる往復駆動手段と、車両ボディＢの外表面形状に沿って長尺状研ぎ部材４を上下動させる昇降手段と、車両ボディＢの上面ＢＵに洗浄用流体を吹き付けて異物を洗い流す流体吹付手段Ｎ１〜Ｎ４とを備える車両ボディ研ぎ装置１を用いることがよい。【選択図】  図１
2005081274.tif 000002
【特許請求の範囲】
【請求項１】
脱脂及び化成処理、電着塗装、中塗り塗装、上塗り塗装をこの順序で実施する車両ボディの塗装方法であって、
前記脱脂及び化成処理の実施後かつ前記電着塗装の実施前の段階で、前記車両ボディの上面に研ぎ部材を摺接させて研ぎを行いつつ前記上面に洗浄用流体を作用させて洗浄する研ぎ工程を実施することを特徴とする車両ボディの塗装方法。
【請求項２】
請求項１に記載の車両ボディの塗装方法における研ぎ工程を実施すべく、塗装ラインに配設される装置であって、
前記車両ボディの上面に摺接する研ぎ網、前記研ぎ網を懸架支持する研ぎ網支持部材、及び、前記研ぎ網の背面に配置されるとともに自重により前記研ぎ網の前面を上記上面に押し付けて追従させる弾性押圧板を有し、前記車両ボディの幅方向に沿って水平に延びるように配置される長尺状研ぎ部材と、
前記研ぎ網支持部材の一端を支持し、前記長尺状研ぎ部材をその長手方向に沿って往復動させて研ぎ動作を行わせる往復駆動手段と、
前記車両ボディの外表面形状に沿って前記長尺状研ぎ部材を上下動させる昇降手段と、
前記車両ボディの上面に洗浄用流体を吹き付けて異物を洗い流す流体吹付手段とを備えることを特徴とする車両ボディ研ぎ装置。
【請求項３】
前記長尺状研ぎ部材は互いに近接した状態で略平行にかつ前後一対に配置され、前記往復駆動手段はこれら長尺状研ぎ部材を反対方向に往復動させるように構成され、前記流体吹付手段はこれら長尺状研ぎ部材間の隙間に向けて前記洗浄用流体を噴射するように構成されていることを特徴とする請求項２に記載の車両ボディ研ぎ装置。
【発明の詳細な説明】
【技術分野】
【０００１】
本発明は、脱脂及び化成処理、電着塗装、中塗り塗装、上塗り塗装をこの順序で実施する車両ボディの塗装方法、及び、そのような車両ボディの塗装方法を実施するのに好適な車両ボディ研ぎ装置に関するものである。
【背景技術】
【０００２】
通常、自動車ボディの塗装ラインにおいては、ワークである自動車ボディを略コ字状のハンガを用いて吊り下げた状態で搬送しながら、脱脂及び化成処理等の表面処理を行った後、さらに電着塗装による下塗りを行う。この後、自動車ボディをハンガから台車に移載し、台車をレールに沿って走行させて搬送を行いながら、下塗り塗装の乾燥、シーラー等の塗布及びその乾燥、中塗り塗装及びその乾燥、上塗り塗装及びその乾燥を順次行う（例えば、特許文献１参照）。
【０００３】
一般に、自動車塗装においては、塗膜に美しい光沢があることが絶対の条件とされており、特に深みのある光沢を出すことが望まれる。また、限りなく高品質な塗装を追求する自動車業界では、自動車ボディの仕上げ塗装の塗膜について、光沢の美しさのみならず、物体を鏡のように映し出す鮮映性までも要求される。この光沢・鮮映性の良否は、使用する塗料の種類や品質等にもよるが、塗膜の平滑性（レベリング）の良し悪しによって受ける影響が極めて大きい。
【０００４】
ところが、車体工場から搬入されてくる自動車ボディの表面（特に上面）には、まれに異物（スパッタ粉など）が付着していることがある。また、脱脂処理・化成処理のときに自動車ボディから処理槽内に落下した異物が、別の自動車ボディに再付着することもある。このような状態で塗装を行うと、いわゆる「ブツ」と呼ばれる塗装不良になり、塗膜の平滑性が低下するという問題が生じる。
【０００５】
このため、従来では、ブツの発生を回避するために、中塗り塗装後に手作業で「水研ぎ」を行うことにより、異物を除去したうえで上塗り塗装以降の工程を行うようにしていた。また、このような段階で水研ぎを行う水研ぎ装置も提案されていた。
【０００６】
【特許文献１】特開平０５−５１７９７号公報（図２等）
【発明の開示】
【発明が解決しようとする課題】
【０００７】
ところが、手作業または機械的に異物を除去する作業を中塗り塗装後に行ったとしても、ブツは中塗り塗装の塗膜によって覆われているので、水研ぎを行ったとしてもブツを完全に除去することは難しい。また、ブツの完全除去を図るため、例えば研ぎ部材の接触圧を高く設定しすぎると、中塗り塗装の塗膜まで削ってしまい、かえって塗膜の平滑性を悪化させる可能性もある。よって、水研ぎを行うタイミングとしては、中塗り塗装前の段階、さらには電着塗装前の段階が適していると考えられる。
【０００８】
ここで別の従来技術として、表面処理後かつ電着塗装前の段階で自動車ボディに高圧の水を吹き付けて異物を除去しようとする技術も提案されている。しかし、機械的な接触を伴わずに水の勢いだけでブツを除去しようとするこの従来技術の場合、水の噴射圧をいくら高く設定したとしても、ブツを確実に除去できるとは限らない。勿論、水の噴射圧を高めようとすると、装置の複雑化・高コスト化が避けられない。
【０００９】
また、中塗り塗装後の段階で使用される従来の水研ぎ装置を利用して電着塗装前の段階で水研ぎを行おうとしても、搬送形態などに相違があるため、前記装置をそのまま適用することは実際上困難である。
【００１０】
本発明は上記の課題に鑑みてなされたものであり、その目的は、異物の付着による塗装不良を解消することで高品質な塗装を実現可能な車両ボディの塗装方法を提供することにある。本発明の別の目的は、上記の塗装方法を実施するのに好適な車両ボディ研ぎ装置を提供することにある。
【課題を解決するための手段】
【００１１】
上記課題を解決するために、請求項１に記載の発明は、脱脂及び化成処理、電着塗装、中塗り塗装、上塗り塗装をこの順序で実施する車両ボディの塗装方法であって、前記脱脂及び化成処理の実施後かつ前記電着塗装の実施前の段階で、前記車両ボディの上面に研ぎ部材を摺接させて研ぎを行いつつ前記上面に洗浄用流体を作用させて洗浄する研ぎ工程を実施することを特徴とする車両ボディの塗装方法をその要旨とする。
【００１２】
従って、請求項１に記載の発明によると、脱脂及び化成処理の実施後かつ電着塗装の実施前の段階にて、流体洗浄及び研ぎの両方を行っているので、流体洗浄のみの場合とは異なり、確実に異物を除去することができる。しかも、この段階ではまだ塗膜が存在しないため、研ぎによる塗膜の削れといった心配もなく、よって塗膜の平滑性を悪化させることもない。また、研ぎ部材は車両ボディの上面に摺接して研ぎを行うため、高圧の水を吹き付けて異物を除去する場合と比較して、確実に異物を除去することができる。
【００１３】
請求項２に記載の発明では、請求項１に記載の車両ボディの塗装方法における研ぎ工程を実施すべく、塗装ラインに配設される装置であって、前記車両ボディの上面に摺接する研ぎ網、前記研ぎ網を懸架支持する研ぎ網支持部材、及び、前記研ぎ網の背面に配置されるとともに自重により前記研ぎ網の前面を上記上面に押し付けて追従させる弾性押圧板を有し、前記車両ボディの幅方向に沿って水平に延びるように配置される長尺状研ぎ部材と、前記研ぎ網支持部材の一端を支持し、前記長尺状研ぎ部材をその長手方向に沿って往復動させて研ぎ動作を行わせる往復駆動手段と、前記車両ボディの外表面形状に沿って前記長尺状研ぎ部材を上下動させる昇降手段と、前記車両ボディの上面に洗浄用流体を吹き付けて異物を洗い流す流体吹付手段とを備えることを特徴とする車両ボディ研ぎ装置をその要旨とする。
【００１４】
従って、請求項２に記載の発明によると、弾性押圧板が研ぎ網の前面を自重により車両ボディの上面に押し付けて追従させるため、車両ボディを必要以上に傷つけることがない。また弾性押圧板は、自身が弾性変形することが可能なため、若干の曲面を有する車両ボディの上面に対する形状追従性に優れている。よって、車両ボディ上面全体を確実にかつ均一な圧力で研ぐことができる。さらに、長尺状研ぎ部材は車両ボディの幅方向に沿って長尺状に配置されているため、ストロークの小さな往復動を付与するのみで上面全体を確実に研ぐことができる。そして、研ぎ網支持部材の一端を支持して長尺状研ぎ部材をその長手方向に沿って往復動させて研ぎ動作を行わせる構成となっているため、略コ字状のハンガを用いて車両ボディを搬送する箇所に装置を容易に配置することが可能となる。
【００１５】
請求項３に記載の発明では、前記長尺状研ぎ部材は互いに近接した状態で略平行にかつ前後一対に配置され、前記往復駆動手段はこれら長尺状研ぎ部材を反対方向に往復動させるように構成され、前記流体吹付手段はこれら長尺状研ぎ部材間の隙間に向けて前記洗浄用流体を噴射するように構成されていることを特徴とする請求項２に記載の車両ボディ研ぎ装置をその要旨とする。
【００１６】
従って、請求項３に記載の発明によれば、長尺状研ぎ部材が略平行にかつ前後一対に配置されているため、研ぎの効率を向上させることができる。また、往復駆動手段が長尺状研ぎ部材を互いに反対方向に往復動させるように構成されているため、長尺状研ぎ部材をそれほど大きくストロークさせる必要がなく、それゆえ装置をコンパクトにすることができる。そして、洗浄用流体を長尺状研ぎ部材間の隙間に向けて噴射するように構成されているため、前後の研ぎ網を効率よく濡らしながら異物を洗い流すことができる。
【発明の効果】
【００１７】
以上詳述したように、請求項１に記載の発明によれば、異物の付着による塗装不良を解消することで高品質な塗装を実現可能な車両ボディの塗装方法を提供することができる。請求項２，３に記載の発明によれば、上記の塗装方法を実施するのに好適な車両ボディ研ぎ装置を提供することができる。
【発明を実施するための最良の形態】
【００１８】
以下、本発明を具体化した一実施形態を図１〜図４に基づき詳細に説明する。図１は本実施形態の自動車ボディＢの塗装方法及び自動車ボディ研ぎ装置１の研ぎ工程を示す模式図である。本実施形態では、自動車ボディＢを略コ字状（一側面が解放された形状）のハンガ２に載置させた状態で、自動車ボディＢの上面ＢＵ（フード、ルーフ、トランクリッド）を後述する揺動式の自動車ボディ研ぎ装置１を用いて湿式研ぎを行う。
【００１９】
まず塗装ラインの概略について述べる。一般に、車体工場から塗装工場に搬入された自動車ボディＢは、まず、自動車ボディＢに付着する油脂類をアルカリ処理することにより脱脂するべく脱脂処理槽を通過する。そして、水洗した後、表面調整によりアルカリを中和して再度水洗する。続いて塗料の密着性と防錆性とを高めるべく、処理液によって満たされた化成処理槽を通過させて自動車ボディＢを化成処理した後、水洗する。この場合、自動車ボディＢは、図１に示すように、レールＲに吊下げられた略コ字状のハンガ２を用いて搬送されながら、脱脂及び化成処理される。
【００２０】
次に、アミノ変性エポキシ樹脂を主成分としたカチオン電着塗料からなる電着塗料の槽内に自動車ボディＢを浸漬して電着塗装による下塗塗装を行い、電着塗料を乾燥炉で乾燥させる。そして、中塗塗装及び乾燥を行い、最後に上塗塗装及び乾燥を行ってから組立工場に搬出している。電着塗装後に行う中塗り塗装、上塗り塗装等の工程は種々の方法がある。例えば、中塗り、上塗り塗膜をそれぞれ塗装（コート）・焼付け（ベーク）という工程を踏んで順に積層してなる最も一般的なものから、上記中塗りを２コート行うもの、また上記上塗り塗膜としてベースコートとその上部に設けられるクリアコートからなる二層とし、２コート１ベークで、あるいは２コート２ベークで行うもの、さらに上塗り塗膜を三層としたものなど各種の態様を採りうる。
【００２１】
次に本実施形態の自動車ボディ研ぎ装置１について詳細に説明する。
図１に示されるように、本実施形態の自動車ボディ研ぎ装置１は、従来用いられている水洗ブースＷＢの途中に組み込まれていて、水洗ブースＷＢ内で湿式研ぎを行うことが可能となっている。なお、この水洗ブースＷＢは、脱脂及び化成処理エリアの後方かつ電着塗装エリアの前方に位置している。ブース上方にはレールＲが軌設されており、そのレールＲには例えばチェーン等によって駆動される略コ字状（一側面が解放された形状）のハンガ２が懸架されている。そして、自動車ボディＢはハンガ２上に載置された状態で電着塗装乾燥炉まで搬送され、そこでハンガ２から図示しない台車に載せ替えられてから次工程に移送される。自動車ボディＢを略コ字状のハンガ２に載せたままであっても、後述の自動車ボディ研ぎ装置１を用いれば、支障なく自動車ボディＢの上面ＢＵを湿式研ぎすることができる。従って、装置設置用のスペースを新たに設けたり、自動車ボディＢを台車に載せ替えたりする必要は特に生じない。
【００２２】
水洗ブースＷＢ内に自動車ボディ研ぎ装置１を配設した本実施形態の場合、水洗ブースＷＢ内に搬送されてきた自動車ボディＢは、流体吹付手段である水洗スプレーＮ１〜Ｎ４により水を吹き付けられる。その際、上面ＢＵの研ぎが行われる。
【００２３】
この自動車ボディ研ぎ装置１は、一側面が解放された略コ字状のハンガ２の解放側に設置される。自動車ボディ研ぎ装置１は、昇降手段、往復駆動手段、メインユニット３、自動車ボディＢに洗浄用流体である水を噴射して吹き付ける流体吹付手段、長尺状研ぎ部材４などを備えている。メインユニット３は、昇降手段の一部であるエアシリンダ３８及び往復駆動手段の一部であるロータリシリンダを備え、自動車ボディＢよりも上側に配置されたフレーム５の上側に設置されている。このメインユニット３の下方には鉛直方向に沿って延びる支柱部３２が設けられている。この支柱部３２には、支持部３３を介して一対の長尺状研ぎ部材４が取り付けられている。なお、本実施形態の昇降手段は、昇降機構部３５、支持部３３及びエアシリンダ３８によって構成されている。本実施形態の往復駆動手段は、支持部３３内に備えられた運動方向変換機構部３７及び往復回転機構部３６によって構成されている。
【００２４】
メインユニット３における側面に配置された往復回転機構部３６は、図示しないエア式のロータリーアクチュエータを有している。当該ロータリーアクチュエータは、支持部３３に取り付けられた長尺状研ぎ部材４をその長手方向に往復動させる役割を果たしている。また、このロータリーアクチュエータは、支柱部３２の上方に位置しており、図示しない円盤状のメインユニットディスクを往復回転運動させる。そして、このメインユニットディスクの円運動が支持部３３に内蔵された図示しない支持部ディスクに伝えられて、連接棒及びクランク等からなる運動変換機構部３７によってこの支持部ディスクの回転運動が水平方向の直線運動に変換される。その結果、一対の長尺状研ぎ部材４が図１の左右方向に往復動するようになっている。
【００２５】
また、このメインユニット３は、支持部３３を支柱部３２に沿って上下方向に昇降させる昇降機構部３５の一部であるエアシリンダ３８と、支持部３３及び長尺状研ぎ部材４との重さのバランスを取るための図示しないカウンターウェイトとを備えている。そして、ビームセンサを用いた公知の手法により、自動車ボディＢの上面ＢＵの高さを検知し、メインユニット３の側部に設けられた図示しない複数のリミットスイッチを利用して長尺状研ぎ部材４の高さ合わせ制御を行っている。なお、自動車ボディＢの上面ＢＵの高さ位置検知は従来から公知の種々の方法を用いれば良く、例えば、ビームセンサに限らず、超音波センサ等を用いても良く、また、ＣＣＤカメラ等を用いた画像処理によって行っても良い。また、長尺状研ぎ部材４の高さ合わせも、リミットスイッチに限らず、サーボモータやアクチュエータ等によって行っても良い。
【００２６】
さらに、本実施形態の自動車ボディ研ぎ装置１においては、自動車ボディＢの上下左右から水を噴射して吹き付ける複数の水洗スプレーＮ１〜Ｎ４が配置されている。この水洗スプレーによる水洗は、化成処理を行った自動車ボディＢの水洗も兼ねている。一対の長尺状研ぎ部材４の隙間に向けて洗浄水を吹き付ける上側の水洗スプレーＮ１は、前述したメインユニット３が水に濡れないようにフレーム５の下側に配置されている。他の水洗スプレーＮ２〜Ｎ４は上側の水洗スプレーＮ１よりも低い位置に設置されている。また、図３に示すように、平行に前後一対に配置された後述する長尺状研ぎ部材４間の隙間に向けて噴射する位置に複数の水洗スプレーノズルＮ１１〜Ｎ１４（流体吐出部分）が取り付けられている。これらの水洗スプレーＮ１〜Ｎ４はいずれも図示しない配管系により吸水ポンプを備えた吸水源へと接続されており、往復動させて研ぎを行う時に自動車ボディＢに工水、あるいは市水といった洗浄水を噴射して吹き付ける構成とされている。
【００２７】
次に、長尺状研ぎ部材４を図２に基づいて詳細に説明する。ここで、図２（ａ）は、自動車ボディＢの進行方向とは反対側から見た長尺状研ぎ部材４の概略正面図であり、図２（ｂ）は、自動車ボディＢの進行方向から見た長尺状研ぎ部材４の概略背面図である。そして、図２（ｃ）は、この長尺状研ぎ部材４を側面から見た概略側面図である。
本実施形態の長尺状研ぎ部材４は、研ぎ網４１、弾性押圧板としてのゴム板４２、研ぎ網支持部材４３を備えている。研ぎ網４１は、ポリエステル等のような合成繊維を網目状に編んだ長尺状のネットであって、繊維の表面には研磨材が固着されている。この研ぎ網４１は、自動車ボディＢの幅と同程度の長さを有している。ゴム板４２は、研ぎ網４１の背面側に接するようにして配置され、自重により研ぎ網４１の前面を自動車ボディＢの上面ＢＵに押し付けて追従させる働きを有している。ゴム板４２は研ぎ網４１よりも縦方向の寸法が若干小さく、研ぎ網４１の下端部４１１はゴム板４２の下端からはみ出している。ゴム板４２は、好適な弾性及び可撓性を有するネオプレンゴムを２枚張り合わせた構造を有している。そして、ゴム板４２には上下２段で多数の抜き穴４２２が設けられている。これらの抜き穴４２２を設けた理由は、ゴム板４２の重量（即ち研ぎ網４１に加わる荷重）を調整するため、及び、異物の排除を容易にするためである。
【００２８】
研ぎ網支持部材４３は、把持部材４３５、吊下げ部材４４、延設部材４３３、支持部材本体４３１、引張ワイヤ４３４によって構成されている。把持部材４３５は、研ぎ網４１とゴム板４２との上端を揃えた状態で把持している。リング状の部分を有する吊下げ部材４４は、把持部材４３５を棒状の延設部材４３３に対して３箇所で吊り下げている。従って、研ぎ網４１、ゴム板４２及び把持部材４３５が、３個の吊下げ部材４４を介して延設部材４３３に懸架支持されている。研ぎ網４１、ゴム板４２及び把持部材４３５は自動車ボディＢの進行方向に揺動することが可能である。支持部材本体４３１の一方側には、前述した支持部３３に接続される接続部材４３２が埋設配置されている。支持部材本体４３１の他方側には、棒状の延設部材４３３の一端側が埋設配置されている。引張ワイヤ４３４は、片持ち支持された長尺状研ぎ部材４の垂れ下がりを防止するために、支持部材本体４３１と支持部材本体４３１との間に架け渡されている。
そして、このように構成された長尺状研ぎ部材４が、図３に示すように自動車ボディＢの進行方向に対して直交する方向に前後一対に配置されている。また、これら一対の長尺状研ぎ部材４は、メインユニット３の一部を構成する支持部３３に片持ち支持されている。
【００２９】
次に本実施形態の塗装方法の一例として、図１及び図２に示す構成の自動車ボディ研ぎ装置１を用いて、自動車ボディＢの上面ＢＵを電着塗装前に湿式にて研ぐ際の動作について図３及び図４を用いて説明する。
【００３０】
まず、略コ字状のハンガ２によって自動車ボディＢを移送し、塗装ラインにおける所定位置に設置された自動車ボディ研ぎ装置１に自動車ボディＢを搬入する。自動車ボディ研ぎ装置１の近傍に自動車ボディＢが搬送されてきたら、前述した昇降機構部３５を作動させ、図３に示すように、長尺状研ぎ部材４が自動車ボディＢのフードに接触するまで、支持部３３を下降させる。すると、研ぎ網４１は自動車ボディＢの搬送に伴って斜めになり、研ぎ網４１の前面下端部が自動車ボディＢのフードに摺接するようになる。このとき、弾性及び可撓性を有するゴム板４２の自重が研ぎ網４１に加わる結果、研ぎ網４１が若干の曲面を有する自動車ボディＢのフードに密着しやすくなる。なお、研ぎ網４１の番手は、ゴム板４２の重さによって変えることが望ましい。例えば、ゴム板４２が重いほど目の細かい研ぎ網４１を用い、軽いほど目の粗い研ぎ網４１を用いる方が良いが、１０００〜１５００番手程度といった比較的目の細かいものを使用することが望ましい。
【００３１】
この状態で、往復駆動手段３６を作動し、図４（ａ）及び図４（ｂ）に示す様に長尺状研ぎ部材４を往復動させて、フードの研ぎを行う。なお、この際、図３に示すように水洗スプレーＮ１〜Ｎ４により一対の長尺状研ぎ部材４の隙間に向けて洗浄水を吹き付ける。これにより、研ぎにより除去される異物を自動車ボディＢの表面から洗い流す。ここで往復動は、ストロークが５０〜１００ｍｍ、振動数が１〜３回／秒程度であることが望ましい。
【００３２】
このようにして、フードの研ぎが終了したら、昇降機構部３５を作動させ、長尺状研ぎ部材４を自動車ボディＢのルーフに接触する高さまで支持部３３を上昇させる。なお、研ぎ完了後の自動車ボディＢの表面状態は、異物が除去されて表面は平滑になる。次に、自動車ボディＢのルーフが自動車ボディ研ぎ装置１の定位置まで搬送されてきたら、上記と同様の手順でルーフの研ぎを行う。そして、ルーフの研ぎが終了する位置まで自動車ボディＢが搬送されたら、上記と逆にトランクリッドの研ぎが可能な位置まで支持部３３を下降させ、上記と同様の手順でトランクリッドの研ぎを行う。以上のようにして１台の自動車ボディＢの研ぎ作業が終了したら、長尺状研ぎ部材４を安全な高さまで上昇させて、次の自動車ボディＢの研ぎに備えるようにする。
【００３３】
従って、本実施形態によれば以下の効果を得ることができる。
（１）脱脂及び化成処理の実施後かつ電着塗装の実施前の段階にて、水洗及び研ぎの両方を行っているので、水洗のみの場合とは異なり、確実に異物を除去することができる。しかも、この段階ではまだ塗膜が存在しないため、研ぎによる塗膜の削れといった心配もなく、よって塗膜の平滑性を悪化させることもない。また、長尺状研ぎ部材４は自動車ボディＢの上面ＢＵに摺接して研ぎを行うため、高圧の水を吹き付けて異物を除去する場合と比較して、確実に異物を除去することができる。
（２）また、ゴム板４２が研ぎ網４１の前面を自重により自動車ボディＢの上面Ｂに押し付けて追従させるため、自動車ボディＢを必要以上に傷つけることがない。またゴム板４２は、自身が弾性変形することが可能なため、若干の曲面を有する自動車ボディＢの上面ＢＵに対する形状追従性に優れている。よって、自動車ボディＢの上面ＢＵ全体を確実にかつ均一な圧力で研ぐことができ、異物を残らず確実に除去することができる。さらに、長尺状研ぎ部材４は自動車ボディＢの幅方向に沿って長尺状に配置されているため、５０〜１００ｍｍ程度のストロークの小さな往復動を付与するのみで上面ＢＵ全体を確実に研ぐことができる。そして、片持ち支持された長尺状研ぎ部材４をその長手方向に沿って往復動させて研ぎ動作を行わせる構成となっているため、略コ字状のハンガ２を用いて自動車ボディＢを搬送する箇所に、自動車ボディ研ぎ装置１を容易に配置することが可能となる。
（３）また、長尺状研ぎ部材４が略平行にかつ前後一対に配置されているため、１本のみで研ぎを行う場合に比べて、研ぎの効率を向上させることができる。また、往復駆動手段が長尺状研ぎ部材４を互いに反対方向に往復動させるように構成されているため、長尺状研ぎ部材４をそれほど大きくストロークさせる必要がなく、それゆえ装置をコンパクトにすることができる。そして、洗浄用流体を長尺状研ぎ部材４間の隙間に向けて噴射するように構成されているため、前後の研ぎ網４１を効率よく濡らしながら異物を洗い流すことができる。
【００３４】
なお、本発明の実施形態は以下のように変更してもよい。
・実施形態では自動車ボディＢ側を移動させて自動車ボディ研ぎ装置１側を固定させたが、自動車ボディ研ぎ装置１側を移動可能に構成してもよい。
・実施形態の自動車ボディ研ぎ装置１では、長尺状研ぎ部材４が一対（２本）であったが、これを１本のみにして構成してもよい。
・実施形態では、フード、ルーフ、トランクリッドにて同じ研ぎ量を設定したが、研ぎ量を部位ごとに変更してもよい。研ぎ量の変更は、例えば、長尺状研ぎ部材４の往復動速度やストローク量を増減すること等により調節可能である。
・実施形態では水を洗浄用流体としたが、水以外の液体を用いてもよい。
・実施形態では、自動車ボディ研ぎ装置１を用いて脱脂及び化成処理の実施後かつ電着塗装の実施前の段階で湿式研ぎを行っていたが、当該装置を用いて電着塗装の実施直後の段階で湿式研ぎを行うようにしてもよい。
・実施形態では、本発明を自動車ボディＢを研ぐための自動車ボディ研ぎ装置１として具体化したが、勿論これに限定されることはない。例えば、本発明を、列車ボディのように自動車ボディＢ以外の車両ボディを研ぐための装置として具体化してもよい。また、車両ボディ以外のもの（特に車両のように大きくて重いワーク）を研ぐための装置として具体化してもよい。
【００３５】
次に、特許請求の範囲に記載された技術的思想のほかに、前述した実施形態によって把握される技術的思想を以下に列挙する。
（１）前記研ぎ網は、繊維表面に研磨材が固着された合成樹脂繊維製の網であることを特徴とする請求項２に記載の車両ボディ研ぎ装置。従って、この研ぎ網は全体として可撓性及び柔軟性を有するので、自動車ボディに対して確実に密着可能である。しかも、繊維表面に固着された研磨材の作用によって、上面を効率よく研ぐことができる。
（２）前記弾性押圧板は、前記研ぎ網よりも外形寸法が小さいゴム板であることを特徴とする請求項２または３に記載の車両ボディ研ぎ装置。
（３）前記弾性押圧板には表裏を貫通する抜き穴が設けられていることを特徴とする請求項２または３に記載の車両ボディ研ぎ装置。従って、抜き穴を介して異物を確実に排出することができる。
（４）前記往復駆動手段及び前記昇降手段は、流体圧を利用したアクチュエータを用いて構成されていることを特徴とする請求項２または３に記載の車両ボディ研ぎ装置。従って、電気を利用したアクチュエータではないので、液体のかかりやすい条件下で使用したとしても故障が起こりにくく、信頼性に優れたものとなる。
（５）前記往復駆動手段を構成するアクチュエータ及び前記昇降手段を構成するアクチュエータは、前記流体吹付手段の流体吐出部分よりも高い位置に配設されていることを特徴とする請求項２または３に記載の車両ボディ研ぎ装置。従って、この位置関係であるとアクチュエータに液体がかからない。よって、故障が起こりにくく、信頼性に優れたものとなる。
【図面の簡単な説明】
【００３６】
【図１】本発明を具体化した本実施形態の自動車ボディ研ぎ装置を示す全体概略図。
【図２】（ａ）は本実施形態の自動車ボディの進行方向とは反対側から見た長尺状研ぎ部材の概略正面図、（ｂ）は本実施形態の自動車ボディの進行方向から見た長尺状研ぎ部材の概略背面図、（ｃ）は本実施形態の長尺状研ぎ部材を側面から見た概略側面図。
【図３】本実施形態の自動車ボディ研ぎ装置を自動車ボディが搬送されて行く状態を示す概略図。
【図４】（ａ），（ｂ）は、本実施形態の一対の長尺状研ぎ部材の往復動作を説明するための概略図。
【符号の説明】
【００３７】
１…車両ボディ研ぎ装置としての自動車ボディ研ぎ装置
４…長尺状研ぎ部材
３３…昇降手段の一部としての支持部
３５…昇降手段の一部としての昇降機構部
３６…往復駆動手段の一部としての往復回転機構部
３７…往復駆動手段の一部としての運動方向変換機構部
３８…昇降手段の一部としてのエアシリンダ
４１…研ぎ網
４２…弾性押圧板としてのゴム板
４３…研ぎ網支持部材
Ｂ…車両ボディとしての自動車ボディ
ＢＵ…車両ボディの上面としての自動車ボディの上面
Ｎ１〜Ｎ４…流体吹付手段としての水洗スプレー
【図１】
2005081274.tif 000003
【図２】
2005081274.tif 000004
【図３】
2005081274.tif 000005
【図４】
2005081274.tif 000006